(57)【特許請求の範囲】
【請求項１】
複数のＱｏＳ制御方式に対応可能な複数のＱｏＳ制御ルータにより、網内におけるＶｏＩＰセッションのＱｏＳ制御を行うよう構成されたＩＰパケット網に適用され、各ＱｏＳ制御ルータにおいて動作させるべき最適なＱｏＳ制御方式をルータ設定装置の制御下で選定するためのＩＰパケット網ＱｏＳ制御方式選定方法であって、
前記各ＱｏＳ制御ルータにおける入力トラヒックを監視して、当該入力トラヒックの特質を特定しうるトラヒック情報を自動的に取得し、
その取得した前記トラヒック情報から特定され、前記各ＱｏＳ制御ルータにおける前記入力トラヒック中のＷＷＷコネクション及びＶｏＩＰフローの各数、並びに前記各ＱｏＳ制御ルータに固有のコーデック方式からなるトラヒック量に基づいて、前記各ＱｏＳ制御ルータにおける最適な前記ＱｏＳ制御方式をそれぞれ選定し、
その選定した前記ＱｏＳ制御方式を前記ルータ設定装置を通じ前記各ＱｏＳ制御ルータに通知して、当該各ＱｏＳ制御ルータに、該当する前記ＱｏＳ制御方式に基づく所要の前記ＱｏＳ制御をそれぞれ実行させる、
ことを特徴とするＩＰパケット網ＱｏＳ制御方式選定方法。
【請求項２】
前記トラヒック情報の自動取得は、
所定の時間間隔で周期的に行う、
ことを特徴とする請求項１に記載のＩＰパケット網ＱｏＳ制御方式選定方法。
【請求項３】
前記ＷＷＷコネクション及び前記ＶｏＩＰフローは、
その種別を、前記入力トラヒックを構成するＩＰパケットの送信元ポート番号に基づいて特定する、
ことを特徴とする請求項２に記載のＩＰパケット網ＱｏＳ制御方式選定方法。
【請求項４】
前記コーデック方式は、
その種別を、前記ＶｏＩＰフローと特定された当該ＩＰパケットのサイズに基づいて特定する、
ことを特徴とする請求項３に記載のＩＰパケット網ＱｏＳ制御方式選定方法。
【請求項５】
前記ＱｏＳ制御方式の選定は、
前記各ＱｏＳ制御ルータにおける最適な前記ＱｏＳ制御方式を目的関数としたときの１以上の制約条件を用いて行う、
ことを特徴とする請求項１、２、３又は４に記載のＩＰパケット網ＱｏＳ制御方式選定方法。
【請求項６】
前記制約条件は、
前記ＷＷＷコネクション数、前記ＶｏＩＰフロー数及び前記コーデック方式の３要素から一義的に特定されるものである、
ことを特徴とする請求項５に記載のＩＰパケット網ＱｏＳ制御方式選定方法。
【請求項７】
前記制約条件は、
前記ＶｏＩＰセッションのエンド−エンドにおける人間の音質評価に基づいて事前に決定されたものである、
ことを特徴とする請求項５又は６に記載のＩＰパケット網ＱｏＳ制御方式選定方法。
【請求項８】
前記制約条件は、
ＭＯＳ平均値であり、
前記ＱｏＳ制御方式の選定は、
前記各ＱｏＳ制御ルータに関して、前記ＭＯＳ平均値が最大のものをそれぞれ抽出することにより行う、
ことを特徴とする請求項７に記載のＩＰパケット網ＱｏＳ制御方式選定方法。
【請求項９】
前記制約条件は、
前記ＭＯＳ平均値の９５％信頼幅を含み、
前記ＱｏＳ制御方式の選定は、
前記各ＱｏＳ制御ルータに関して、前記９５％信頼幅が最小のものをそれぞれ抽出することにより行う、
ことを特徴とする請求項８に記載のＩＰパケット網ＱｏＳ制御方式選定方法。
【請求項１０】
複数のＱｏＳ制御方式に対応可能な複数のＱｏＳ制御ルータにより、網内におけるＶｏＩＰセッションのＱｏＳ制御を行うよう構成されたＩＰパケット網に適用され、各ＱｏＳ制御ルータにおいて動作させるべき最適なＱｏＳ制御方式をルータ設定装置の制御下で選定するためのＩＰパケット網ＱｏＳ制御方式選定装置であって、
前記各ＱｏＳ制御ルータにおける入力トラヒックを構成するＩＰパケットの送信元ポート番号に基づいて、当該入力トラヒック中のＷＷＷコネクション及びＶｏＩＰフローの各数を特定する機能手段と、前記ＶｏＩＰフローと特定された当該ＩＰパケットのサイズに基づいて、前記各ＱｏＳ制御ルータに固有のコーデック方式を特定する機能手段とを具備し、前記入力トラヒックを監視して、当該入力トラヒックの特質を特定しうるトラヒック情報を所定の時間間隔で周期的に自動取得する監視手段と、
前記各ＱｏＳ制御ルータにおける最適な前記ＱｏＳ制御方式を目的関数としたときの、前記監視手段により特定された前記ＷＷＷコネクション数、前記ＶｏＩＰフロー数及び前記コーデック方式の３要素から一義的に特定される制約条件を用いることにより、所要のＱｏＳ制御方式を選定する機能手段を具備し、前記監視手段により取得された前記トラヒック情報から特定されるトラヒック量に基づいて、前記各ＱｏＳ制御ルータにおける最適な前記ＱｏＳ制御方式をそれぞれ選定すると共に、その選定に係る前記ＱｏＳ制御方式に基づく所要の前記ＱｏＳ制御が、対応する前記各ＱｏＳ制御ルータにおいてそれぞれ実行されるよう、前記ルータ設定装置を外部制御するＱｏＳ制御方式選定手段と、を有する、
ことを特徴とするＩＰパケット網ＱｏＳ制御方式選定装置。
【請求項１１】
前記制約条件は、
前記ＶｏＩＰセッションのエンド−エンドにおける人間の音質評価に基づいて事前に決定されたＭＯＳ平均値と、
このＭＯＳ平均値の９５％信頼幅とを含み、
前記ＱｏＳ制御方式選定手段は、
前記各ＱｏＳ制御ルータに関して、前記ＭＯＳ平均値が最大であり、かつ、前記９５％信頼幅が最小である前記ＱｏＳ制御方式をそれぞれ選定する機能手段を具備する、
ことを特徴とする請求項１０に記載のＩＰパケット網ＱｏＳ制御方式選定装置。
【請求項１２】
前記ＱｏＳ制御方式選定手段は、
前記ＷＷＷコネクション数、前記ＶｏＩＰフロー数及び前記コーデック方式の３要素から、前記ＭＯＳ平均値及び前記９５％信頼幅を一義的に特定するためのトラヒック量対応テーブルを具備する、
ことを特徴とする請求項１１に記載のＩＰパケット網ＱｏＳ制御方式選定装置。
【請求項１３】
前記ルータ設定装置は、
前記各ＱｏＳ制御ルータにおける前記ＱｏＳ制御方式を制御することの可能なポリシーサーバである、
ことを特徴とする請求項１０、１１又は１２に記載のＩＰパケット網ＱｏＳ制御方式選定装置。
【発明の詳細な説明】
【０００１】
【発明の属する技術分野】
本発明は、ＩＰパケット網ＱｏＳ制御方式選定方法及び装置（ＩＰ：Internet Protocol，ＱｏＳ：Quality of Service ）に関し、詳しくは、複数のＱｏＳ制御方式に対応可能な複数のＱｏＳ制御ルータにより、網内におけるＶｏＩＰセッション（ＶｏＩＰ：Voice over IP）のＱｏＳ制御を行うよう構成されたＩＰパケット網に適用され、各ＱｏＳ制御ルータにおいて動作させるべき最適なＱｏＳ制御方式をルータ設定装置の制御下で選定するためのＩＰパケット網ＱｏＳ制御方式選定方法、及びその実施に直接使用するＩＰパケット網ＱｏＳ制御方式選定装置に係わる。
【０００２】
【従来の技術】
例えば、テレビ会議やインターネット電話など、常にリアルタイム性の要求されるＶｏＩＰセッションの品質は、ネットワーク（ＩＰパケット網）自体の品質劣化に非常に敏感である。特に、ＨＴＴＰ（Hyper Text Transfer Protocol）やＦＴＰ（File Transfer Protocol）など、バースト性のあるＷＷＷセッション（ＷＷＷ：World Wide Web）に伴うトラヒックが、上記ＶｏＩＰセッションと共に同一ＩＰパケット網に混在している場合、このバーストの影響を受けやすい。
【０００３】
この影響を軽減するため、従来、ＩＰパケット網内におけるＶｏＩＰセッションのＱｏＳ制御方式が多数提案されている。その代表的なものとしては、例えば、ＰＱ（Priority Queuing）、ＷＦＱ（Weighted Fair Queuing ）、ＣＢＱ（Class-Based Queuing ）、ＦＲＲ（First Re-Route）、ＲＥＤ（Random Early Detection）、ＷＲＥＤ（Weighted Random Early Detection ）、ＦＩＦＯ（First-In First-Out）などが存在する。
【０００４】
これら各ＱｏＳ制御方式をＶｏＩＰセッションのＱｏＳ制御に適用する際の一形態として、ＩＰパケット網内に配置された複数のＱｏＳ制御ルータにより実行するものが知られているが、この種の適用形態において、各ＱｏＳ制御ルータにおいて実際に何れのＱｏＳ制御方式を採用するかについては、ネットワーク管理者の経験に基づき人手と時間をかけて行われているのが実情である。
【０００５】
このため、初期のＩＰパケット網の設計時において、各ＱｏＳ制御ルータ毎に採用すべきＱｏＳ制御方式が一旦決定されると、それを将来のＩＰパケット網の状態（拡張や設計変更など）に応じて柔軟に変更することは、極めて困難なものとなる。
【０００６】
こうした不都合に対処するため、近年、ポリシーサーバなどのルータ設定装置におけるＧＵＩ機能（ＧＵＩ：Graphical User Interface）を利用することにより、各ＱｏＳ制御ルータにおいて実行させるべきＱｏＳ制御の方式を外部制御により設定する技術が実用化するに至っている。
【０００７】
【発明が解決しようとする課題】
ところで、上述した各ＱｏＳ制御方式には、それぞれ、ＶｏＩＰセッションのＱｏＳ制御に際して最適の効果を及ぼす有効範囲が存在し、その動作の特徴には長所と短所が存在する。
【０００８】
このため、ＩＰパケット網の輻輳時においては、各ＱｏＳ制御ルータにおけるＱｏＳ制御方式の選定が不適切であった場合、そのＩＰパケット網の輻輳を一層悪化させて、ネットワーク品質を低下させてしまう可能性がある。即ち、各ＱｏＳルータ毎のＱｏＳ制御方式の選定は、ＩＰパケット網のトラヒック状態を十分考慮して行う必要がある。
【０００９】
しかしながら、各ＱｏＳ制御ルータにおける所要のＱｏＳ制御方式の選定を上記ルータ設定装置を利用して行ったとしても、その選定作業自体は、依然、ネットワーク管理者の経験に基づき人手と時間をかけて行われるに過ぎないため、各ＱｏＳ制御ルータ毎に最適なＱｏＳ制御方式を選定することは、ＩＰパケット網のバースト的な輻輳が起こりうる限り、事実上不可能であった。
【００１０】
ここにおいて、本発明の解決すべき主要な目的は、次のとおりである。
【００１１】
即ち、本発明の第１の目的は、各ＱｏＳ制御ルータ毎に最適なＱｏＳ制御方式を自動選定することの可能なＩＰパケット網ＱｏＳ制御方式選定方法及び装置を提供せんとするものである。
【００１２】
本発明の第２の目的は、所要のＱｏＳ制御方式の選定を、ＩＰパケット網の現在のトラヒック状態に応じて随時に行うことの可能なＩＰパケット網ＱｏＳ制御方式選定方法及び装置を提供せんとするものである。
【００１３】
本発明の第３の目的は、ＩＰパケット網におけるＶｏＩＰセッションの品質を常に最良の状態に維持することの可能なＩＰパケット網ＱｏＳ制御方式選定方法及び装置を提供せんとするものである。
【００１４】
本発明の他の目的は、明細書、図面、特に特許請求の範囲の各請求項の記載から、自ずと明らかとなろう。
【００１５】
【課題を解決するための手段】
まず、本発明方法においては、各ＱｏＳ制御ルータにおける入力トラヒックの特質を特定しうるトラヒック情報を自動的に取得し、そのトラヒック情報から特定されるトラヒック量に基づいて、各ＱｏＳ制御ルータにおける最適なＱｏＳ制御方式をそれぞれ選定し、そのＱｏＳ制御方式をルータ設定装置を通じ各ＱｏＳ制御ルータに通知して、当該各ＱｏＳ制御ルータに、該当するＱｏＳ制御方式に基づく所要のＱｏＳ制御をそれぞれ実行させる、という特徴的構成手法を講じる。
【００１６】
一方、本発明装置においては、各ＱｏＳ制御ルータにおける入力トラヒックの特質を特定しうるトラヒック情報を所定の時間間隔で周期的に取得する監視手段と、この監視手段により取得されたトラヒック情報から特定されるトラヒック量に基づいて、各ＱｏＳ制御ルータにおける最適なＱｏＳ制御方式をそれぞれ選定すると共に、その選定に係るＱｏＳ制御方式に基づく所要のＱｏＳ制御が、対応する各ＱｏＳ制御ルータにおいてそれぞれ実行されるよう、ルータ設定装置を外部制御するＱｏＳ制御方式選定手段とを具備させる、という特徴的構成手段を講じる。
【００１７】
さらに、具体的詳細に述べると、当該課題の解決では、本発明が次に列挙する新規な特徴的構成手法及び手段を採用することにより、前記目的を達成するよう為される。
【００１８】
即ち、本発明方法の第１の特徴は、複数のＱｏＳ制御方式に対応可能な複数のＱｏＳ制御ルータにより、網内におけるＶｏＩＰセッションのＱｏＳ制御を行うよう構成されたＩＰパケット網に適用され、各ＱｏＳ制御ルータにおいて動作させるべき最適なＱｏＳ制御方式をルータ設定装置の制御下で選定するためのＩＰパケット網ＱｏＳ制御方式選定方法であって、前記各ＱｏＳ制御ルータにおける入力トラヒックを監視して、当該入力トラヒックの特質を特定しうるトラヒック情報を自動的に取得し、その取得した前記トラヒック情報から特定され、前記各ＱｏＳ制御ルータにおける前記入力トラヒック中のＷＷＷコネクション及びＶｏＩＰフローの各数、並びに前記各ＱｏＳ制御ルータに固有のコーデック方式からなるトラヒック量に基づいて、前記各ＱｏＳ制御ルータにおける最適な前記ＱｏＳ制御方式をそれぞれ選定し、その選定した前記ＱｏＳ制御方式を前記ルータ設定装置を通じ前記各ＱｏＳ制御ルータに通知して、当該各ＱｏＳ制御ルータに、該当する前記ＱｏＳ制御方式に基づく所要の前記ＱｏＳ制御をそれぞれ実行させてなる、ＩＰパケット網ＱｏＳ制御方式選定方法の構成採用にある。
【００１９】
本発明方法の第２の特徴は、上記本発明方法の第１の特徴における前記トラヒック情報の自動取得を、所定の時間間隔で周期的に行ってなる、ＩＰパケット網ＱｏＳ制御方式選定方法の構成採用にある。
【００２１】
本発明方法の第３の特徴は、上記本発明方法の第２の特徴における前記ＷＷＷコネクション及び前記ＶｏＩＰフローが、その種別を、前記入力トラヒックを構成するＩＰパケットの送信元ポート番号に基づいて特定してなる、ＩＰパケット網ＱｏＳ制御方式選定方法の構成採用にある。
【００２２】
本発明方法の第４の特徴は、上記本発明方法の第３の特徴における前記コーデック方式が、その種別を、前記ＶｏＩＰフローと特定された当該ＩＰパケットのサイズに基づいて特定してなる、ＩＰパケット網ＱＳ制御方式選定方法の構成採用にある。
【００２３】
本発明方法の第５の特徴は、上記本発明方法の第１、第２、第３又は第４の特徴における前記ＱｏＳ制御方式の選定が、前記各ＱｏＳ制御ルータにおける最適な前記ＱｏＳ制御方式を目的関数としたときの１以上の制約条件を用いて行ってなる、ＩＰパケット網ＱｏＳ制御方式選定方法の構成採用にある。
【００２４】
本発明方法の第６の特徴は、上記本発明方法の第５の特徴における前記制約条件が、前記ＷＷＷコネクション数、前記ＶｏＩＰフロー数及び前記コーデック方式の３要素から一義的に特定されるものである、ＩＰパケット網ＱｏＳ制御方式選定方法の構成採用にある。
【００２５】
本発明方法の第７の特徴は、上記本発明方法の第５又は第６の特徴における前記制約条件が、前記ＶｏＩＰセッションのエンド−エンドにおける人間の音質評価に基づいて事前に決定されたものである、ＩＰパケット網ＱｏＳ制御方式選定方法の構成採用にある。
【００２６】
本発明方法の第８の特徴は、上記本発明方法の第７の特徴における前記制約条件が、ＭＯＳ平均値であり、前記ＱｏＳ制御方式の選定を、前記各ＱｏＳ制御ルータに関して、前記ＭＯＳ平均値が最大のものをそれぞれ抽出することにより行ってなる、ＩＰパケット網ＱｏＳ制御方式選定方法の構成採用にある。
【００２７】
本発明方法の第９の特徴は、上記本発明方法の第８の特徴における前記制約条件が、前記ＭＯＳ平均値の９５％信頼幅を含み、前記ＱｏＳ制御方式の選定を、前記各ＱｏＳ制御ルータに関して、前記９５％信頼幅が最小のものをそれぞれ抽出することにより行ってなる、ＩＰパケット網ＱｏＳ制御方式選定方法の構成採用にある。
【００２８】
一方、本発明装置の第１の特徴は、複数のＱｏＳ制御方式に対応可能な複数のＱｏＳ制御ルータにより、網内におけるＶｏＩＰセッションのＱｏＳ制御を行うよう構成されたＩＰパケット網に適用され、各ＱｏＳ制御ルータにおいて動作させるべき最適なＱｏＳ制御方式をルータ設定装置の制御下で選定するためのＩＰパケット網ＱｏＳ制御方式選定装置であって、前記各ＱｏＳ制御ルータにおける入力トラヒックを構成するＩＰパケットの送信元ポート番号に基づいて、当該入力トラヒック中のＷＷＷコネクション及びＶｏＩＰフローの各数を特定する機能手段と、前記ＶｏＩＰフローと特定された当該ＩＰパケットのサイズに基づいて、前記各ＱｏＳ制御ルータに固有のコーデック方式を特定する機能手段とを具備し、前記入力トラヒックを監視して、当該入力トラヒックの特質を特定しうるトラヒック情報を所定の時間間隔で周期的に自動取得する監視手段と、前記各ＱｏＳ制御ルータにおける最適な前記ＱｏＳ制御方式を目的関数としたときの、前記監視手段により特定された前記ＷＷＷコネクション数、前記ＶｏＩＰフロー数及び前記コーデック方式の３要素から一義的に特定される制約条件を用いることにより、所要のＱｏＳ制御方式を選定する機能手段を具備し、この監視手段により取得された前記トラヒック情報から特定されるトラヒック量に基づいて、前記各ＱｏＳ制御ルータにおける最適な前記ＱｏＳ制御方式をそれぞれ選定すると共に、その選定に係る前記ＱｏＳ制御方式に基づく所要の前記ＱｏＳ制御が、対応する前記各ＱｏＳ制御ルータにおいてそれぞれ実行されるよう、前記ルータ設定装置を外部制御するＱｏＳ制御方式選定手段と、を有してなる、ＩＰパケット網ＱｏＳ制御方式選定装置の構成採用にある。
【００３０】
本発明装置の第２の特徴は、上記本発明装置の第１の特徴における前記制約条件が、前記ＶｏＩＰセッションのエンド−エンドにおける人間の音質評価に基づいて事前に決定されたＭＯＳ平均値と、このＭＯＳ平均値の９５％信頼幅とを含み、前記ＱｏＳ制御方式選定手段が、前記各ＱｏＳ制御ルータに関して、前記ＭＯＳ平均値が最大であり、かつ、前記９５％信頼幅が最小である前記ＱｏＳ制御方式をそれぞれ選定する機能手段を具備してなる、ＩＰパケット網ＱｏＳ制御方式選定装置の構成採用にある。
【００３１】
本発明装置の第３の特徴は、上記本発明装置の第２の特徴における前記ＱｏＳ制御方式選定手段が、前記ＷＷＷコネクション数、前記ＶｏＩＰフロー数及び前記コーデック方式の３要素から、前記ＭＯＳ平均値及び前記９５％信頼幅を一義的に特定するためのトラヒック量対応テーブルを具備してなる、ＩＰパケット網ＱｏＳ制御方式選定装置の構成採用にある。
【００３２】
本発明装置の第４の特徴は、上記本発明装置の第１、第２又は第３の特徴における前記ルータ設定装置が、前記各ＱｏＳ制御ルータにおける前記ＱｏＳ制御方式を制御することの可能なポリシーサーバである、ＩＰパケット網ＱｏＳ制御方式選定装置の構成採用にある。
【００３３】
【発明の実施の形態】
以下、本発明の実施の形態につき、添付図面を参照しつつ、装置例及びこれに対応する方法例を挙げて説明する。
【００３４】
（装置例）
まず、図１は、本発明の一装置例に係るＩＰパケット網ＱｏＳ制御方式選定装置の構成をその適用ネットワーク構成と共に示す図である。
【００３５】
同図に示すように、この装置例に係るＩＰパケット網ＱｏＳ制御方式選定装置１は、複数のＱｏＳ制御方式に対応可能なＱｏＳ制御ルータ２により、網内におけるＶｏＩＰセッションのＱｏＳ制御を行うよう構成されたＩＰパケット網３に適用され、ＱｏＳ制御ルータ２において動作させるべき最適なＱｏＳ制御方式を、当該ＱｏＳ制御ルータ２におけるＱｏＳ制御方式を制御することの可能なポリシーサーバ４の（ルータ設定装置）の制御下で選定するために、監視部１１と、ＱｏＳ制御方式選定部１２とを有して構成される。
【００３６】
なお、図示のＩＰパケット網３には、１つのＱｏＳ制御ルータ２のみしか示されていないが、実際には、これと同様の形態をなす複数のＱｏＳ制御ルータ（２）が存在する。また、ＩＰパケット網３には、ＱｏＳ制御機能を具備していない通常のルータ２ａが混在していてもよい。
【００３７】
ここで、監視部１１は、ＱｏＳ制御ルータ２における入力トラヒック（即ち、ＱｏＳ制御対象回線３ａのトラヒック）を監視して、当該入力トラヒックの特質を特定しうるトラヒック情報を所定の時間間隔で周期的に自動取得する他、その入力トラヒックを構成するＩＰパケットの送信元ポート番号に基づいて、当該入力トラヒック中のＷＷＷコネクション及びＶｏＩＰフローの各数を特定すると共に、ＶｏＩＰフローと特定された当該ＩＰパケットのサイズに基づいて、当該ＱｏＳ制御ルータ２に固有のコーデック方式を特定するよう機能する。
【００３８】
ＱｏＳ制御方式選定部１２は、監視部１１により取得されたトラヒック情報から特定されるトラヒック量に基づいて、ＱｏＳ制御ルータ２における最適なＱｏＳ制御方式をそれぞれ選定すると共に、その選定に係るＱｏＳ制御方式に基づく所要のＱｏＳ制御が、対応するＱｏＳ制御ルータ２において実行されるよう、ルータ設定装置４を外部制御する他、ＱｏＳ制御ルータ２における最適なＱｏＳ制御方式を目的関数としたときの、監視部１１により特定されたＷＷＷコネクション数、ＶｏＩＰフロー数及びコーデック方式の３要素から一義的に特定される制約条件を用いることにより、所要のＱｏＳ制御方式を選定するよう機能する。
【００３９】
なお、上記制約条件としては、ＶｏＩＰセッションのエンド−エンドにおける人間の音質評価（５段階評価）に基づいて事前に決定されたＭＯＳ平均値（ＭＯＳ：Mean Opinion Score）と、このＭＯＳ平均値の９５％信頼幅とを含み、この場合において、上記ＱｏＳ制御方式選定部１２は、該当するＱｏＳ制御ルータ２に関し、ＭＯＳ平均値が最大であり、かつ、９５％信頼幅が最小であるＱｏＳ制御方式を選定するよう機能する。
【００４０】
また、同ＱｏＳ制御方式選定部１２は、所要のＱｏＳ制御方式の選定に際し、上記制約条件として、まず、ＭＯＳ平均値≧２．０又は９５％信頼幅≦０．３５の何れかを満足するＱｏＳ制御方式を選定し、その後、目的関数が最大となる（即ち、ＭＯＳ平均値が最大かつ９５％信頼幅が最小の）１つのＱｏＳ制御方式を選定するよう機能する。
【００４１】
次に、図２及び図３は、それぞれ、図１に示したＱｏＳ制御方式選定部１２に保持されるトラヒック量対応テーブル及びＱｏＳ制御番号対応テーブルの詳細を示す図である。
【００４２】
まず、図２に示すように、ＱｏＳ制御方式選定部１２には、上述のＷＷＷコネクション数、ＶｏＩＰフロー数及びコーデック方式の３要素から、ＭＯＳ平均値及び９５％信頼幅を一義的に特定するためのトラヒック量対応テーブル１２ａが保持される。
【００４３】
即ち、このトラヒック量対応テーブル１２ａは、図示の「Ｇ．７１１μｌａｗ」により示されるコーデック方式を大分類としながら、「Ｗ」により示されるＷＷＷコネクション数及び「Ｖ」により示されるＶｏＩＰフロー数から、「ＱｏＳ制御番号（図示の「ＱｏＳ番号」）」により特定されるＱｏＳ制御方式毎（行方向）のＱｏＳ平均値（図示の「平均値」）及び「９５％信頼幅」を一義的に特定しうるよう構成されている。
【００４４】
そして、以上の形態のトラヒック量対応テーブル１２ａは、ＩＰパケット網３に存在する複数のＱｏＳ制御ルータ（２）において採用されている全てのコーデック方式に対応しうるよう、例えば、「Ｇ．７２９」、「ＤＶＩ４」、「Ｇ．７２３−１」など所要の各コーデック方式を大分類として、それぞれ設定される（これら例示の大分類については図示せず）。
【００４５】
一方、図３に示すように、ＱｏＳ制御番号対応テーブル１２ｂには、例えば、「ＰＱ」、「ＷＦＱ」、「ＷＲＲ」、「ＷＲＥＤ」、「ＦＩＦＯ」など、ＩＰパケット網３に存在する複数のＱｏＳ制御ルータ（２）において対応可能とされる全てのＱｏＳ制御方式に対して、前述のＱｏＳ制御番号がそれぞれ割り当てられており、図２に示したトラヒック量対応テーブル１２ａとの関係において、当該ＱｏＳ制御番号を指定することにより、対応するＱｏＳ制御方式が一義的に特定されるようになっている。
【００４６】
（方法例）
続いて、以上のように構成された装置例により実施されるＩＰパケット網ＱｏＳ制御方式選定方法の具体例を説明する。
【００４７】
まず、このＩＰパケット網ＱｏＳ制御方式選定方法は、ＩＰパケット網ＱｏＳ制御方式選定装置１における監視部１１が、ＱｏＳ制御ルータ２における入力トラヒック（即ち、ＱｏＳ制御対象回線３ａのトラヒック）を監視して、当該入力トラヒックの特質を特定しうるトラヒック情報を所定の時間間隔で周期的に自動取得することにより開始される。
【００４８】
即ち、監視部１１は、ＱｏＳ制御ルータ２の出力インターフェースから、対応するＩＰパケットを取得し、さらに、そのＩＰパケットのヘッダから、所要のトラヒック情報（図１参照）として、ある時刻ｔにおける送信元ＩＰアドレス：addr_s(t) と、送信元ポート番号：port_s(t) と、送信先ＩＰアドレス：addr_d(t) と、送信先ポート番号：port_d(t) と、当該ＩＰパケットのサイズ：Byte(t) とからなるパケット情報を抽出する。
【００４９】
なお、以上のパケット情報は、上記監視部１１（又はポリシーサーバ４でも可）に事前設定されたＭＩＢ（Management Information Base． 状態情報ベース）を用いて抽出したり、或いは、同監視部１１（同前）から、対応するＵＮＩＸ（登録商標）コマンドを送出して抽出することが可能である。
【００５０】
次に、監視部１１は、取得したトラヒック情報中に含まれる送信元ポート番号：port_s(t) に基づき、該当する上記入力トラヒックを構成するＩＰパケットの種別を特定する。
【００５１】
即ち、監視部１１は、送信元ポート番号：port_s(t) が、「８０（ＨＴＴＰセッション）」や「８０８０（ＨＴＴＰプロキシセッション）」などの値であった場合には、当該ＩＰパケットの種別をＷＷＷコネクションと特定し、それが「８０」を含む周知ポート（well-knownポート）以外の値であった場合には、当該ＩＰパケットの種別をＶｏＩＰフローと特定する（見なす）ようにする。
【００５２】
また、以上のＷＷＷコネクション及びＶｏＩＰフローの特定と同時に、監視部１１は、ＶｏＩＰフローと特定した当該ＩＰパケットのサイズに基づいて、該当するＱｏＳ制御ルータ２に固有のコーデック方式を特定するようにする。
【００５３】
次に、監視部１１は、上記ＷＷＷコネクション及びＶｏＩＰフローの各数を特定するため、先に取得したトラヒック情報を、それぞれ、送信元ＩＰアドレス：addr_s[i] 、送信元ポート番号：port_s[i] 、送信先ＩＰアドレス：addr_d[i] 、送信先ポート番号：port_d[i] 、及びパケットサイズ：Byte[i] として、図４に示す監視部１１内のトラヒック情報取得テーブル１１ａに記録する。
【００５４】
但し、「ｉ」は、トラヒック情報取得テーブル１１ａ内の情報番号であり、その最大値は「ｎ」とする（「ｎ」は、ＩＰパケット網３内の総トラヒック数を表しており、同ＩＰパケット網３内に新たなトラヒックが検出されると１増加し、当該トラヒックが消滅すると１減少する）。
【００５５】
ここで、監視部１１は、１≦ｉ≦ｎの全範囲において、時刻ｔで取得したトラヒック情報が、トラヒック情報取得テーブル１１ａ内に存在しなければ（何れにも一致しなければ）、新たなトラヒックが検出されたとして、これを同トラヒック情報取得テーブル１１ａに追加する。これに対し、１≦ｉ≦ｎの全範囲において、トラヒック情報取得テーブル１１ａに一旦記録したトラヒック情報が、ある一定時間参照されなければ、監視部１１は、同トラヒック情報取得テーブル１１ａから、該当するトラヒック情報を削除する。
【００５６】
そして、監視部１１は、以上のようにして時刻ｔ毎に更新されるトラヒック情報取得テーブル１１ａから、その時刻ｔにおけるＷＷＷコネクション数：Ｗ及びＶｏＩＰフロー数：Ｖ、並びにＱｏＳ制御ルータ２に固有のコーデック方式：codec を、図５に示す監視部１１内のトラヒック量取得テーブル１１ｂに随時記録する（但し、コーデック方式：codec については固定的）。
【００５７】
そして最後に、監視部１１は、時刻ｔにおいて記録したトラヒック量取得テーブル１１ｂの内容を、トラヒック量情報（図１参照）として、その次段に位置するＱｏＳ制御方式選定部１２に与える。なお、ここでは、図示のように、ある時刻ｔにおけるＷＷＷコネクション数：Ｗが「２０」、ＶｏＩＰフロー数：Ｖが「１０」であったとし、コーデック方式：codec が、図２の説明でふれた「Ｇ．７１１μｌａｗ」であったとする。
【００５８】
次に、ＩＰパケット網ＱｏＳ制御方式選定装置１におけるＱｏＳ制御方式選定部１２は、監視部１１から与えられたトラヒック量情報をキーとして、自らに事前に保持されたトラヒック量対応テーブル１２ａを検索することにより、ＱｏＳ制御ルータ２における最適なＱｏＳ制御方式を選定する。
【００５９】
即ち、ＱｏＳ制御方式選定部１２は、上記トラヒック量情報に含まれるＷＷＷコネクション数：Ｗ、ＶｏＩＰフロー数：Ｖ及びコーデック方式：codec の３要素から、ＱｏＳ制御ルータ２における最適なＱｏＳ制御方式を目的関数としたときの（１以上の）制約条件、即ち、ＶｏＩＰセッションのエンド−エンドにおける人間の音質評価に基づいて事前に決定されたＭＯＳ平均値と、このＭＯＳ平均値の９５％信頼幅とを一義的に特定するために、まず最初に、上記トラヒック量対応テーブル１２ａを参照する。
【００６０】
なお、最適なＱｏＳ制御方式を選定するための基準として、上記ＭＯＳ平均値の９５％信頼幅を含めたことにより、当該ＭＯＳ平均値のみによる場合に比べ、所要のＱｏＳ制御方式の選定をより詳細に行うことが可能となる。
【００６１】
次に、ＱｏＳ制御方式選定部１２は、同トラヒック量対応テーブル１２ａの参照結果に基づき、上記３要素から特定されるＭＯＳ平均値及び９５％信頼幅の組み合せを、存在する全てのＱｏＳ制御番号に関して取得し、この取得したＭＯＳ平均値及び９５％信頼幅の組み合せを、該当するＱｏＳ制御番号との対応付けを図りながら、図６に示すＱｏＳ制御方式選定部１２内の制約条件取得テーブル１２ｃに記録する。
【００６２】
次に、ＱｏＳ制御方式選定部１２は、同制約条件取得テーブル１２ｃに記録したＭＯＳ平均値及び９５％信頼幅の組み合せのうち、制約条件としてＭＯＳ平均値≧２．０又は９５％信頼幅≦０．３５の何れかを満足するものを抽出し、この抽出したＭＯＳ平均値及び９５％信頼幅の組み合せを、該当するＱｏＳ制御番号との対応付けを図りながら、さらに、図７に示すＱｏＳ制御方式選定部１２内の制約条件抽出テーブル１２ｄに記録する。なお、ここでは、図示のように、ＱｏＳ制御番号「２」及び「３」におけるＭＯＳ平均値及び９５％信頼幅の組み合せが抽出されて、制約条件抽出テーブル１２ｄに記録されたものとする。
【００６３】
次に、ＱｏＳ制御方式選定部１２は、制約条件抽出テーブル１２ｄに記録したＭＯＳ平均値及び９５％信頼幅の組み合せのうち、目的関数が最大となる組み合せ、即ち、ＭＯＳ平均値が最大かつ９５％信頼幅が最小の組み合せを選定し、さらに、その組み合せに対応するＱｏＳ制御番号「３」を検索キーとして、自らに事前に保持されたＱｏＳ制御番号対応テーブル１２ｂを検索することにより、ＱｏＳ制御ルータ２における最適なＱｏＳ制御方式として「ＷＲＲ」を選定する。
【００６４】
そして、ＱｏＳ制御方式選定部１２は、その選定したＱｏＳ制御方式を表す情報を、ＩＰパケット網ＱｏＳ制御方式選定装置１外部のポリシーサーバ４に与える。但し、今回の時刻ｔにおいて選定したＱｏＳ制御方式が、前回の時刻ｔ−１において選定したＱｏＳ制御方式と等しい場合、ＱｏＳ制御方式選定部１２は、上記ＱｏＳ制御方式を表す情報を前記ポリシーサーバ４に与えることなく、次回の時刻ｔ＋１における処理が行われるまで待機する。
【００６５】
そして最後に、ポリシーサーバ４は、ＩＰパケット網ＱｏＳ制御方式選定装置１におけるＱｏＳ制御方式選定部１２から、所要のＱｏＳ制御方式を表す情報が与えられると、これに該当する「ＷＲＲ」に関するＱｏＳ制御方式設定命令（図１参照）を、ＩＰパケット網３内の該当するＱｏＳ制御ルータ２に通知して、当該ＱｏＳ制御ルータ２に、該当するＱｏＳ制御方式に基づく所要のＱｏＳ制御を実行させ、以下、次回の時刻ｔ＋１における処理が行われるまで待機する。
【００６６】
そして、以上に説明したＩＰパケット網ＱｏＳ制御方式選定装置１における監視部１１及びＱｏＳ制御方式選定部１２における各処理、並びにポリシーサーバ４における処理が、ＩＰパケット網３内に存在する全てのＱｏＳ制御ルータ（２）に関して実行され、以上により、このＩＰパケット網ＱｏＳ制御方式選定方法が実現されるようになる。
【００６７】
以上、本発明の実施の形態につき、装置例及びこれに対応する方法例を挙げて説明したが、本発明は、必ずしも上述した手段及び手法にのみ限定されるものではなく、本発明にいう目的を達成し、後述の効果を有する範囲内において、適宜変更実施することが可能なものである。
【００６８】
【発明の効果】
以上、詳細に説明したように、本発明によれば、各ＱｏＳ制御ルータ毎に最適なＱｏＳ制御方式を自動選定することが可能になると共に、所要のＱｏＳ制御方式の選定が、ＩＰパケット網の現在のトラヒック状態に応じて随時に行われるようになり、この結果、ＩＰパケット網におけるＶｏＩＰセッションの品質が常に最良の状態に維持されるようになる。
【図面の簡単な説明】
【図１】本発明の一装置例に係るＩＰパケット網ＱｏＳ制御方式選定装置の構成をその適用ネットワーク構成と共に示す図である。
【図２】図１に示したＱｏＳ制御方式選定部に保持されるトラヒック量対応テーブルの詳細を示す図である。
【図３】図１に示したＱｏＳ制御方式選定部に保持されるＱｏＳ制御番号対応テーブルの詳細を示す図である。
【図４】図１に示した監視部で生成されるトラヒック情報取得テーブルの詳細を示す図である。
【図５】図１に示した監視部で生成されるトラヒック量抽出テーブルの詳細を示す図である。
【図６】図１に示したＱｏＳ制御方式選定部で生成される制約条件取得テーブルの詳細を示す図である。
【図７】図１に示したＱｏＳ制御方式選定部で生成される制約条件抽出テーブルの詳細を示す図である。
【符号の説明】
１…ＩＰパケット網ＱｏＳ制御方式選定装置
１１…監視部
１１ａ…トラヒック情報取得テーブル
１１ｂ…トラヒック量抽出テーブル
１２…ＱｏＳ制御方式選定部
１２ａ…トラヒック量対応テーブル
１２ｂ…ＱｏＳ制御番号対応テーブル
１２ｃ…制約条件取得テーブル
１２ｄ…制約条件抽出テーブル
２…ＱｏＳ制御ルータ
２ａ…（通常の）ルータ
３…ＩＰパケット網
３ａ…ＱｏＳ制御対象回線
４…ポリシーサーバ
【図１】
0003789377.tif 000002
【図２】
0003789377.tif 000003
【図３】
0003789377.tif 000004
【図４】
0003789377.tif 000005
【図５】
0003789377.tif 000006
【図６】
0003789377.tif 000007
【図７】
0003789377.tif 000008